(57)【要約】      （修正有）【課題】薬包内の機能性材料により、使用者ができるだけ早く寝つくことに寄与し、睡眠の質を高めることができる組み合わせ型枕を提供する。【解決手段】組み合わせ型枕は、枕本体１と、第１薬包２とを含み、枕本体の頂面の中部が下へ窪んで窪み部１１が形成され、第１薬包が窪み部に置かれ、使用状態で第１薬包が使用者の頭部と接触する。枕本体の人体の首に対応する位置には収納孔１２が設置され、収納孔とマッチングされる枕部材３が収納孔に設置され、枕部材内に収納キャビティが設置され、収納キャビティ内に加熱装置が設置される。【選択図】図２
0003214982.tif 000002
【実用新案登録請求の範囲】
【請求項１】
枕本体を含む組み合わせ型枕であって、第１薬包を更に含み、枕本体の頂面の中部が下へ窪んで窪み部が形成され、前記第１薬包が枕本体の前記窪み部に置かれ、使用状態で前記第１薬包が使用者の頭部と接触することを特徴とする、
組み合わせ型枕。
【請求項２】
枕本体の人体の首に対応する位置には収納孔が設置され、枕本体の前記収納孔とマッチングされる枕部材が前記収納孔に設置され、前記枕部材内に収納キャビティが設置され、収納キャビティ内に加熱装置が設置されることを特徴とする、
請求項１に記載の組み合わせ型枕。
【請求項３】
枕本体の人体の首に対応する位置には収容切欠きが設置され、枕本体の前記収容切欠きとマッチングされる枕部材が前記収容切欠きに設置され、前記枕部材内に収納キャビティが設置され、収納キャビティ内に加熱装置が設置されることを特徴とする、
請求項１に記載の組み合わせ型枕。
【請求項４】
前記加熱装置は、セメント抵抗と、枕部材の下端に設置され、且つ前記セメント抵抗に電気的に接続される２つのコンタクト電極とを含み、組み合わせ型枕は、第１接続板を含む外付け電源をさらに含み、第１接続板には温度センサー及び２つの柱状電極が設置され、使用状態で、外付け電源の前記第１接続板が枕部材の下に置かれ、外付け電源の前記２つの柱状電極が枕部材の前記２つのコンタクト電極に対応して接触して接続され、外付け電源の温度センサーが枕部材と接触することを特徴とする、
請求項２又は３に記載の組み合わせ型枕。
【請求項５】
前記加熱装置は、セメント抵抗と、枕部材の下端に接近して前記セメント抵抗に直列接続されて回路を構成する誘導コイルとを含み、組み合わせ型枕は、第２接続板を含む外付け電源をさらに含み、第２接続板には出力コイル及び温度センサーが設置され、使用状態で、外付け電源の前記第２接続板が枕部材の下に置かれ、外付け電源の前記出力コイルが枕部材の前記誘導コイルとカップリングされ、外付け電源の温度センサーが枕部材と接触することを特徴とする、
請求項２又は３に記載の組み合わせ型枕。
【請求項６】
前記加熱装置は、枕部材の前記収納キャビティに置かれ、枕部材の底面と平行する鉄板を含み、前記組み合わせ型枕は、電磁式ヒーターをさらに含み、使用状態で、電磁式ヒーターが枕部材の下に置かれ、枕部材の前記鉄板と対向し、電磁式ヒーターにおける温度センサーが枕部材と接触することを特徴とする、
請求項２又は３に記載の組み合わせ型枕。
【請求項７】
枕部材の前記収納キャビティ内に第２薬包がさらに設置されることを特徴とする、
請求項２又は３に記載の組み合わせ型枕。
【請求項８】
前記第１薬包は薬包本体及び薬包本体内に入れられる睡眠補助類の機能性材料又は芳香類の機能性材料を含み、前記第２薬包は薬包本体及び薬包本体内に入れられる睡眠補助類の機能性材料又は芳香類の機能性材料を含むことを特徴とする、
請求項７に記載の組み合わせ型枕。
【請求項９】
前記枕本体はメモリーフォーム材質の枕本体であり、枕部材がメモリーフォーム材質の枕部材であることを特徴とする、
請求項１に記載の組み合わせ型枕。
【考案の詳細な説明】
【技術分野】
【０００１】
本実用新案は人間の生活用品に関し、より具体的には、組み合わせ型枕に関する。
【背景技術】
【０００２】
生活レベルの向上に伴って、人々は養生をますます重視している。十分な睡眠は、人々が翌日に良好な精神状態を維持することを確保できる。枕は寝具であり、通常の枕は頭部を支持する作用のみを有し、睡眠の質を高める機能を有していない。
【考案の概要】
【考案が解決しようとする課題】
【０００３】
本実用新案は組み合わせ型枕を提供することを目的とし、該組み合わせ型枕を用いて、睡眠の質を高めることができる。
【課題を解決するための手段】
【０００４】
上記目的を達成するために、本実用新案は以下の技術的解決手段を用いる。
【０００５】
組み合わせ型枕であって、枕本体と、第１薬包とを含み、枕本体の頂面の中部が下へ窪んで窪み部が形成され、前記第１薬包が枕本体の前記窪み部に置かれ、使用状態で前記第１薬包が使用者の頭部と接触する。
【０００６】
好ましくは、枕本体の人体の首に対応する位置には収納孔が設置され、枕本体の前記収納孔とマッチングされる枕部材が前記収納孔に設置され、前記枕部材内に収納キャビティが設置され、収納キャビティ内に加熱装置が設置される。
【０００７】
好ましくは、枕本体の人体の首に対応する位置には収容切欠きが設置され、枕本体の前記収容切欠きとマッチングされる枕部材が前記収容切欠きに設置され、前記枕部材内に収納キャビティが設置され、収納キャビティ内に加熱装置が設置される。
【０００８】
好ましくは、前記加熱装置は、セメント抵抗と、枕部材の下端に設置され、且つ前記セメント抵抗に電気的に接続される２つのコンタクト電極とを含み、組み合わせ型枕は、第１接続板を含む外付け電源をさらに含み、第１接続板には温度センサー及び２つの柱状電極が設置され、使用状態で、外付け電源の前記第１接続板が枕部材の下に置かれ、外付け電源の前記２つの柱状電極が枕部材の前記２つのコンタクト電極に対応して接触して接続され、外付け電源の温度センサーが枕部材と接触する。
【０００９】
好ましくは、前記加熱装置は、セメント抵抗と、枕部材の下端に接近して前記セメント抵抗に直列接続されて回路を構成する誘導コイルとを含み、組み合わせ型枕は、第２接続板を含む外付け電源をさらに含み、第２接続板には出力コイル及び温度センサーが設置され、使用状態で、外付け電源の前記第２接続板が枕部材の下に置かれ、外付け電源の前記出力コイルが枕部材の前記誘導コイルとカップリングされ、外付け電源の温度センサーが枕部材と接触する。
【００１０】
好ましくは、前記加熱装置は、枕部材の前記収納キャビティに置かれ、枕部材の底面と平行する鉄板を含み、前記組み合わせ型枕は、電磁式ヒーターをさらに含み、使用状態で、電磁式ヒーターが枕部材の下に置かれ、枕部材の前記鉄板と対向し、電磁式ヒーターにおける温度センサーが枕部材と接触する。
【００１１】
好ましくは、枕部材の前記収納キャビティ内に第２薬包がさらに設置される。
【００１２】
好ましくは、前記第１薬包は薬包本体及び薬包本体内に入れられる睡眠補助類の機能性材料又は芳香類の機能性材料を含み、前記第２薬包は薬包本体及び薬包本体内に入れられる睡眠補助類の機能性材料又は芳香類の機能性材料を含む。
【００１３】
好ましくは、前記枕本体はメモリーフォーム材質の枕本体であり、枕部材がメモリーフォーム材質の枕部材である。
【考案の効果】
【００１４】
従来技術に比べて、本実用新案は、少なくとも以下の有益な効果を有する。
【００１５】
枕には第１薬包が配置され、使用状態で、第１薬包が使用者の頭部と接触するため、薬包内の機能性材料により、使用者ができるだけ早く寝つくことに寄与し、睡眠の質を高めることができる。枕部材には加熱装置が内蔵されるため、使用者の首の血液循環を促進でき、加熱装置が枕部材内の第２薬包と相互作用して、使用者の睡眠の質をより確実に改善できる。枕は組み合わせ型構造を用いて、薬包を変換しやすい。
【図面の簡単な説明】
【００１６】
【図１】第１実施例に係る組み合わせ型枕の構成概略図である。
【図２】第２実施例に係る組み合わせ型枕の構成概略図である。
【図３】第２実施例に係る枕部材及び加熱装置の構成概略図である。
【図４】第３実施例に係る組み合わせ型枕の構成概略図である。
【図５】第３実施例に係る枕部材及び加熱装置の構成概略図である。
【図６】第４実施例に係る組み合わせ型枕の構成概略図である。
【図７】第４実施例に係る枕部材及び加熱装置の構成概略図である。
【図８】第５実施例に係る組み合わせ型枕の構成概略図である。
【考案を実施するための形態】
【００１７】
以下、図面及び実施例を参照しながら本実用新案をさらに説明する。
【００１８】
図１に示すように、第１実施例に係る組み合わせ型枕は枕本体１及び第１薬包２を含み、枕本体１の頂面の中部が下へ窪んで窪み部１１が形成され、前記第１薬包２が枕本体１の前記窪み部１１に置かれ、使用状態で、前記第１薬包２が使用者の頭部と接触する。
【００１９】
第１薬包２は、薬包本体及び薬包本体内に入れられる睡眠補助類の機能性材料又は芳香類の機能性材料を含む。睡眠補助類の機能性材料はキンギンカ、ビャクキクカ、ニオイテンジクアオイ等であってもよく、芳香類の機能性材料はガイヨウ、ケイカ、ラベンダー等であってもよい。第１薬包２内の機能性材料により、使用者ができるだけ早く寝つくことに寄与し、睡眠の質を高めることができる。
【００２０】
図２及び図３に示すように、第２実施例に係る組み合わせ型枕は、頂面の中部が下へ窪んで窪み部１１が形成される枕本体１、及び枕本体１の前記窪み部１１に置かれ、使用状態で、使用者の頭部と接触する第１薬包２を含む。
【００２１】
枕本体１の人体の首と対応する位置には収納孔１２が設置され、枕本体１の前記収納孔１２とマッチングされる枕部材３は前記収納孔１２に設置され、前記枕部材３内に収納キャビティ３１が設置され、収納キャビティ３１内に加熱装置４が設置される。
【００２２】
加熱装置４は、セメント抵抗４１と、枕部材３の下端に設置され、且つ前記セメント抵抗４１に電気的に接続される２つのコンタクト電極４２とを含む。組み合わせ型枕は、第１接続板５１を含む外付け電源５をさらに含み、第１接続板５１には温度センサー５２及び２つの柱状電極５３が設置され、使用状態で、外付け電源５の前記第１接続板５１が枕部材３の下に置かれ、外付け電源５の前記２つの柱状電極５３が枕部材３の前記２つのコンタクト電極４２と対向して接触して接続され、外付け電源５の温度センサー５２が枕部材３と接触する。
【００２３】
外付け電源５はセメント抵抗に給電し、熱を生成して部材３を発熱させ、使用者の首の血液循環を促進し、それにより使用者の睡眠の質をさらに高める。温度センサー５２により枕部材３の温度を検出して、外付け電源５のコントローラにフィードバックし、セメント抵抗への給電時間を制御し、枕部材３の温度を所定の温度に維持する。外付け電源５にはさらにタイマーが設置されてもよく、使用者が深い眠りについた後に給電を停止する。
【００２４】
さらに枕部材３の前記収納キャビティ３１内に使用者の首に作用する第２薬包を設置してもよい。第２薬包は、薬包本体及び薬包本体内に入れられる睡眠補助類の機能性材料又は芳香類の機能性材料を含む。睡眠補助類の機能性材料はキンギンカ、ビャクキクカ、ニオイテンジクアオイ等であってもよく、芳香類の機能性材料はガイヨウ、ケイカ、ラベンダー等であってもよい。
【００２５】
枕本体１及び枕部材３はいずれもメモリーフォーム材質を用いる。
【００２６】
図４及び図５に示すように、第３実施例に係る組み合わせ型枕は、頂面の中部が下へ窪んで窪み部１１が形成される枕本体１、及び枕本体１の前記窪み部１１に置かれ、使用状態で、前記第１薬包２が使用者の頭部と接触する第１薬包２を含む。
【００２７】
枕本体１の人体の首と対応する位置には収納孔１２が設置され、枕本体１の前記収納孔１２とマッチングされる枕部材３は前記収納孔１２に設置され、前記枕部材３内に収納キャビティ３１が設置され、収納キャビティ３１内に加熱装置６が設置される。
【００２８】
加熱装置６は、セメント抵抗６１と、枕部材３の下端に接近し、且つ前記セメント抵抗６１に直列接続されて回路を構成する誘導コイル６２とを含む。組み合わせ型枕は、第２接続板７１を含む外付け電源７をさらに含み、第２接続板７１には出力コイル７２及び温度センサー７３が設置され、使用状態で、外付け電源７の前記第２接続板７１が枕部材３の下に置かれ、外付け電源７の前記出力コイル７２が枕部材３の前記誘導コイル６２とカップリングされ、外付け電源７の温度センサー７３が枕部材３と接触する。
【００２９】
外付け電源７は互いにカップリングされる出力コイル７２及び誘導コイル６２を介してセメント抵抗６１に給電して、枕部材３に対する加熱を達成する。温度センサー７３によって枕部材３の温度を検出して、外付け電源７にフィードバックし、さらに枕部材３の温度を所定の温度に維持する。
【００３０】
図６及び図７に示すように、第４実施例に係る組み合わせ型枕は、頂面の中部が下へ窪んで窪み部１１が形成される枕本体１、及び枕本体１の前記窪み部１１に置かれ、使用状態で、使用者の頭部と接触する第１薬包２を含む。
【００３１】
枕本体１の人体の首と対応する位置には収納孔１２が設置され、枕本体１の前記収納孔１２とマッチングされる枕部材３は前記収納孔１２に設置され、前記枕部材３内に収納キャビティ３１が設置され、収納キャビティ３１内に加熱装置８が設置される。
【００３２】
加熱装置８は、枕部材３の前記収納キャビティ３１に置かれ、枕部材３の底面と平行する鉄板を含む。組み合わせ型枕は、電磁式ヒーター９をさらに含み、使用状態で、電磁式ヒーター９は枕部材３の下に置かれ、枕部材３の前記鉄板に対向し、電磁式ヒーター９には枕部材３と接触する温度センサー９１が設置される。電磁式ヒーター９が作動して前記鉄板を発熱させ、それにより枕部材３の温度を所定の温度にする。
【００３３】
図８に示すように、第５実施例に係る組み合わせ型枕は、頂面の中部が下へ窪んで窪み部１１が形成される枕本体１、及び枕本体１の前記窪み部１１に置かれ、使用状態で、使用者の頭部と接触する第１薬包２を含む。
【００３４】
枕本体１の人体の首に対応する位置には収容切欠き１５が設置され、枕本体１の前記収容切欠き１５とマッチングされる枕部材３は前記収容切欠き１５に設置され、前記枕部材３内に収納キャビティ３１が設置され、収納キャビティ３１内に加熱装置が設置される。加熱装置は第２実施例〜第４実施例のいずれかの加熱装置を用いてもよい。
【００３５】
以上、具体的な実施例によって本実用新案を詳細に説明したが、これらの詳細な説明は当業者に本実用新案の内容を理解させるためのものに過ぎず、本実用新案の保護の範囲を限定するものとして理解されるべきではない。当業者が本実用新案の発想で上記解決策に対し行う様々な修正、等価置換等がいずれも本実用新案の保護範囲内に含まれるべきである。
【図１】
0003214982.tif 000003
【図２】
0003214982.tif 000004
【図３】
0003214982.tif 000005
【図４】
0003214982.tif 000006
【図５】
0003214982.tif 000007
【図６】
0003214982.tif 000008
【図７】
0003214982.tif 000009
【図８】
0003214982.tif 000010
【手続補正書】
【提出日】平成29年12月13日(2017.12.13)
【手続補正１】
【補正対象書類名】実用新案登録請求の範囲
【補正対象項目名】全文
【補正方法】変更
【補正の内容】
【実用新案登録請求の範囲】
【請求項１】
枕本体を含む組み合わせ型枕であって、第１薬包を更に含み、枕本体の頂面の中部が下へ窪んで窪み部が形成され、前記第１薬包が枕本体の前記窪み部に置かれ、使用状態で前記第１薬包が使用者の頭部と接触することを特徴とする、
組み合わせ型枕。
【請求項２】
枕本体の人体の首に対応する位置には収納孔が設置され、枕本体の前記収納孔とマッチングされる枕部材が前記収納孔に設置され、前記枕部材内に収納キャビティが設置され、収納キャビティ内に加熱装置が設置されることを特徴とする、
請求項１に記載の組み合わせ型枕。
【請求項３】
枕本体の人体の首に対応する位置には収容切欠きが設置され、枕本体の前記収容切欠きとマッチングされる枕部材が前記収容切欠きに設置され、前記枕部材内に収納キャビティが設置され、収納キャビティ内に加熱装置が設置されることを特徴とする、
請求項１に記載の組み合わせ型枕。
【請求項４】
前記加熱装置は、セメント抵抗と、枕部材の下端に設置され、且つ前記セメント抵抗に電気的に接続される２つのコンタクト電極とを含み、組み合わせ型枕は、第１接続板を含む外付け電源をさらに含み、第１接続板には温度センサー及び２つの柱状電極が設置され、使用状態で、外付け電源の前記第１接続板が枕部材の下に置かれ、外付け電源の前記２つの柱状電極が枕部材の前記２つのコンタクト電極に対応して接触して接続され、外付け電源の温度センサーが枕部材と接触することを特徴とする、
請求項２又は３に記載の組み合わせ型枕。
【請求項５】
前記加熱装置は、セメント抵抗と、枕部材の下端に接近して前記セメント抵抗に直列接続されて回路を構成する誘導コイルとを含み、組み合わせ型枕は、第２接続板を含む外付け電源をさらに含み、第２接続板には出力コイル及び温度センサーが設置され、使用状態で、外付け電源の前記第２接続板が枕部材の下に置かれ、外付け電源の前記出力コイルが枕部材の前記誘導コイルとカップリングされ、外付け電源の温度センサーが枕部材と接触することを特徴とする、
請求項２又は３に記載の組み合わせ型枕。
【請求項６】
前記加熱装置は、枕部材の前記収納キャビティに置かれ、枕部材の底面と平行する鉄板を含み、前記組み合わせ型枕は、電磁式ヒーターをさらに含み、使用状態で、電磁式ヒーターが枕部材の下に置かれ、枕部材の前記鉄板と対向し、電磁式ヒーターにおける温度センサーが枕部材と接触することを特徴とする、
請求項２又は３に記載の組み合わせ型枕。
【請求項７】
枕部材の前記収納キャビティ内に第２薬包がさらに設置されることを特徴とする、
請求項２又は３に記載の組み合わせ型枕。
【請求項８】
前記第１薬包は薬包本体及び薬包本体内に入れられる睡眠補助類の機能性材料又は芳香類の機能性材料を含み、前記第２薬包は薬包本体及び薬包本体内に入れられる睡眠補助類の機能性材料又は芳香類の機能性材料を含むことを特徴とする、
請求項７に記載の組み合わせ型枕。
【請求項９】
前記枕本体はメモリーフォーム材質の枕本体であり、前記枕部材がメモリーフォーム材質の枕部材であることを特徴とする、
請求項２に記載の組み合わせ型枕。